(57)【要約】【課題】  屋根裏を適切に通気するために、換気装置が適切な数量で使用される場合、必要とされるのは、建物のデザインの外観に与える悪影響を最小限に抑えるように改良された換気装置である。この換気装置は、多くの屋根の構造と多くの種類の屋根葺き材で適応可能であり、他の能動的な換気装置と比べて少ない操作と安価な取り付け費用となる。  【解決手段】  好適な実施例によると屋根の通気口がもたらされ、そこに通じる骨格の通気口の開口部を有する通気口骨格を構成している。通気口の開口部は、屋根の下の一定量の空気を、屋根の開口部を通して通気するように構成される。さらに、この通気口骨格は、屋根に取り付けられる際に、実質的に周囲の屋根瓦を模倣するように構成される。屋根の通気口は、屋根に取り付けられるとき、日光を得ることができる位置にある位置で、ソーラーレイが屋根に一体化させられる。【選択図】図２Ｂ
2007534924.tif 000002
【特許請求の範囲】
【請求項１】
貫通する骨格の通気口開口部を有し、屋根の下の一定量の空気を開放する屋根を換気する為の通気口骨格と、
前記骨格の通気口開口部を実質的に覆うキャップと
屋根の通気口が屋根に設けられる際に、日光を受けることができる位置で屋根の通気口と統合されるソーラーレイとを具備し、
前記通気口の骨格と前記キャップが、屋根に取り付けられる場合、周囲の屋根瓦を実質的に模倣することを特徴とする屋根の通気口。
【請求項２】
ソーラーレイに電気的に接続され、ソーラーレイによって電力が供給される電子装置を更に具備することを特徴とする請求項１記載の屋根の通気口。
【請求項３】
電力が供給される前記電子装置が、
骨格の通気口開口部と屋根の通気口開口部の両方に隣接して取り付けられるファンを、骨格通気口開口部の外側に位置する一定量の空気と屋根の直下に位置する一定量の空気との交換がファンにとって容易となる位置に備え、
前記ファンが、電気的にソーラーレイに接続され、ソーラーレイが、前記ファンに電力を供給するように構成されていることを特徴とする請求項２記載の屋根の通気口。
【請求項４】
水平の横列で屋根に取り付けられた複数の屋根瓦の部分が、交互の平行なパンチャネルとキャップカラムとを形成する、傾斜した屋根に対する屋根のシステムにおいて、
屋根の開口部との通気の連通を行う１つまたはそれ以上の骨格の通気口開口部を有する屋根の通気口とを備え、その通気口骨格は、パンチャネルとキャップ領域を有し、更に
前記屋根の通気口の上部の、日光に照らされる表面に取り付けられたソーラーパネルとを備えることを特徴とする屋根のシステム。
【請求項５】
骨格の通気口開口部と屋根の開口部の双方に隣接して取り付けられるファンを、骨格の通気口開口部の外側に位置する一定量の空気と、屋根の内部により部分的に決定される空間の内側に位置する一定量の空気との交換がファンにとって容易となる位置に更に具備し、ファンが電気的にソーラーパネルに接続され、ファンに電気が供給されることを特徴とする請求項４記載の屋根のシステム。
【請求項６】
前記ファンが、屋根によって部分的に決定される空間の内側から、外部環境へと強制的に空気を送るように構成された請求項５記載の屋根のシステム。
【請求項７】
傾斜した屋根の為の屋根の装置において、
水平の横列で屋根に取り付けられ、交互の平行なパンチャネルとキャップカラムを形成して雨や雪を流す、複数の屋根瓦の部分を具備し、
瓦の部分の１つが、
上に向かう傾斜の縁と下に向かう傾斜の縁とを含む通気口骨格とを備え、この通気口骨格は、パンチャンネルとキャップの部分を形成する露出したパン区分を有して単一で連続する材料の部品から形成され、屋根の開口部との通気の連絡における１つまたはそれ以上の骨格の通気口開口部を有し、キャップカラムの部分を形成するキャップ区分を有し、瓦の部分の上り斜面の列で瓦の部分により重ね合わされ、瓦部分の下り斜面の列で瓦部分に重ね合っているパン及びキャップ区分を有しており、前記瓦の部分の１つが更に、
屋根を貫通する通気口開口部と骨格の通気口開口部とが一列となる位置で通気口の骨格に取り付けられるファンユニットと、
キャップカラムに平行な長手状の軸を有し、上り傾斜の列において瓦部分により重ね合わされるキャップ区分の部分から延びて、骨格通気口開口部との通気連絡で骨格部開口部を形成する通気口のキャップと、
日光を受ける位置に取り付けられ、ファンユニットに電気的に接続され、それによりファンに電源を供給するソーラーレイと、
を備えることを特徴とする傾斜の屋根の為の屋根のシステム。
【請求項８】
請求項７記載の屋根のシステムで前記ファンユニットにおいて、
取り付けられ、１つまたはそれ以上の骨格の通気口開口部の下に横たわり、通気口の骨格の下側と連結され、アダプター内部の容量を決めている、骨格開口部の通路と屋根の開口部の通路との間の通気連絡の全てが実質的に経由する所を貫通するファンの穴を有するように構成されたアダプターと、
アダプターのファンの穴に取り付けられるファンと
を備える請求項７記載の屋根のシステム。
【請求項９】
通気口の骨格と通気口のキャップが、周囲の屋根瓦の形状で共に取り付けられていることを特徴とする請求項７記載の屋根のシステム。
【請求項１０】
請求項７記載の屋根のシステムで通気口の骨格が更に、
隣接する野外の瓦のキャップの下でキャップに対して正確に適合するキャップの突縁と
隣接する野外の瓦のパンに対して正確に適合するパンの突縁とを備え、
通気口の骨格の上り傾斜の端と下り傾斜の端とが、隣り合う上り傾斜の野外の瓦と下り傾斜の野外の瓦にそれぞれ正確に適合することを特徴とする請求項７記載の屋根のシステム。
【発明の詳細な説明】
【技術分野】
【０００１】
この発明は屋根の通気口に関し、特に瓦屋根で使用するための屋根裏の通気口に関する。
【背景技術】
【０００２】
エネルギー効率は、新築の家のデザインにおいて、真剣に考慮することである。新築の家は、快適な生活空間を維持するのに必要なエネルギーを最小限に抑える方法を必要とする。家において、最も一般的なエネルギー損失の１つは、屋根裏を経る熱伝達によるものである。
【０００３】
暖かい気候では、熱は、屋根に入射した太陽エネルギーにより屋根裏において増加する。より寒い気候では、湿気が、屋根裏において増加し、絶縁体からＲ値の多くを奪いとる。
【０００４】
他のシステムにおける、切妻の通気口と動力付きの屋根窓タイプ通気口とを使用する、配電による動力付きの能動的な換気装置は、屋根裏の換気を促進するのに使用されてきた。これらの配電による動力付きの能動的な換気装置は、受動的な換気装置と比べて、多くの操作と取り付け費用を必要とする。
【０００５】
南西地方では、多くの家が低勾配、切妻が全くない寄せ棟屋根、屋根窓を有し、不適切に位置づけられているか、または多数であり過ぎる場合、デザインの美観を損なう可能性がある。従って、これらの装置は不十分とされる。
【発明の開示】
【発明が解決しようとする課題】
【０００６】
屋根裏を適切に通気するために、換気装置が適切な数量で使用される場合、必要とされるのは、建物のデザインの外観に与える悪影響を最小限に抑えるように改良された換気装置である。この換気装置は、多くの屋根の構造と多くの種類の屋根葺き材で適応可能であり、他の能動的な換気装置に対して少ない操作と低額な取り付け費用となる。
【課題を解決するための手段】
【０００７】
好適な実施例によると屋根の通気口がもたらされ、そこに通じる骨格の通気口開口部を有する通気口骨格を構成している。通気口開口部は、屋根の下の一定量の空気を屋根の開口部を通して通気するように構成される。
【発明の効果】
【０００８】
本発明の好適な実施例は、屋根の表面から最少量はみ出る、屋根裏か屋根の垂木スペースの為の太陽光発電の換気装置と、屋根瓦の外観をまねる通気口骨格とをもたらす。その結果、ビルの外観へ与える悪影響を最小限とする。
【０００９】
更に、この通気口骨格は、屋根に取り付けられる際に、実質的に周囲の屋根瓦を模倣するように構成される。屋根の通気口は、屋根に取り付けられるとき、日光を得ることができる位置にある位置で、ソーラーレイが屋根に一体化させられる。
【００１０】
別の好適な実施例によると、屋根の装置は、複数の屋根瓦の部分を有する傾斜の屋根に供される。この部分は、水平の横列で屋根に取り付けられ、平行なパンチャネルとキャップカラムとを交互に形成する。屋根の装置は、通気口骨格を有する屋根の通気口を構成する。
【００１１】
その通気口骨格は、屋根の開口部と通気している、１つまたはそれ以上の、通気口骨格の開口部を含んでいる。更に、通気口骨格には、パンチャンネルとキャップカラムがある。ソーラーパネルは、上の、屋根通気口の太陽に露出している表面に取り付けられる。
【００１２】
１つのアレンジとしては、傾斜している屋根の為の屋根の装置には、複数の屋根瓦の部分が設けられている。この部分は、水平の横列で屋根に取り付けられ、雨や雪を流す平行なパンチャネルとキャップカラムを交互に形成している。
【００１３】
さらに、瓦の部分の１つは、上に向かう傾斜の縁と下に向かう傾斜の縁とを有する通気口骨格を含んでいる。その通気口骨格は、材料の連続する１つの部品で形成される。その部品は、パンチャンネルとキャップの部分を形成する、露出するパン区分を有する。
【００１４】
通気口骨格は、屋根を通して通気口開口部と通気する、１つまたはそれ以上の骨格の通気口開口部を含んでいる。そして、キャップ区分は、１つのキャップカラムの部分を形成する。
【００１５】
また、パンとキャップの区分は、瓦部分の下りの傾斜列で瓦の部分によっても重ね合わされているが、さらに、パンとキャップの区分は、瓦部分の上り傾斜列で瓦部分によって重ね合わさせられている。
【００１６】
ファンユニットは、屋根を通して骨格の通気口開口部と通気口開口部に沿った位置の骨格に取り付けられる。通気口のキャップは、キャップカラムに平行する細長い軸を有し、キャップ区分の一部から広がっている。この通気口のキャップは、上りの傾斜の列で瓦の部分によって重ね合わされていて、骨格の通気口開口部との通気連絡で通気口の開口部を形成する。
【００１７】
太陽光線を集めるソーラーレイは、そのソーラーレイが日光にさらされた際に日光を得る位置に取り付けられる。そのソーラーレイは、ソーラーレイが十分な日光にさらされている際に、ファンユニットを動かすために電気的にファンユニットに接続される。
【００１８】
これらの実施例の全ては、ここで開示された発明の範囲の中に含まれる。
【００１９】
本発明のこれらの実施例と他の実施例は、添付図面を参照しながら、好適な実施例の以下の詳述から当業者に容易に明らかになるだろう。本発明は、開示された、どの特定の実施例に限定されるものではない。
【発明を実施するための最良の形態】
【００２０】
＜実施例＞
望ましくは、ここで説明された通気口の好適な実施例が、２つの部品、つまり第１の通気口と第２の通気口を有することが望ましい。それら２つの部品は、制限がなく、アルミニウム、鉄鋼または銅のような材料から成るものである。
【００２１】
第１の通気口は、下側の通気口を天井板を横断する換気孔の上にした状態で、天井板に設置される。第２の通気口は、望ましくはソーラーパネルが取り付けられる上面と、望ましくはファンが取り付けられる下面とを有し、図示された実施態様において周囲にある野外の瓦と外観が似るように構成され、そして第１の通気口の上に設置される。
【００２２】
その第２の通気口は、キャップ領域を介して１つまたはそれ以上の通気口の開口部を有する骨格を備えるが、望ましくは、このキャップが、骨格の下にあるキャップ領域から離間しており、且つ、上部の通気口の開口部を覆っている。
【００２３】
その結果、キャップ領域とキャップの間で通気の方法を生じる。第２の通気口における１つまたそれ以上の通気口の開口部と、第一の通気口における開口部とは、その通気の方法を介して屋根裏もしくは屋根の垂木スペースと外部との間における空気を導く。
【００２４】
図１を参照すると、軒６０の近くにある傾斜した屋根１１の断面が示されている。本発明の好適な実施例によると、この屋根は、（図３Ｂで示されている）ファンユニット８のような電気装置を駆動するためのソーラーパネル４を有する屋根通気口１０を含んでいる。
【００２５】
この屋根の通気口１０は、通気口の骨格１６のキャップ領域２０（図３Ａ〜３Ｂ、図５）を覆って、その上に横たわるキャップ１４を含んでいる。一般に、急勾配の屋根１１は、複数の野外の瓦２１で構成される。この複数の野外の瓦２１は、縁の瓦１３、縁のキャップ１５、および尾根のキャップ（図示せず）によって囲まれている。
【００２６】
図２Ｂから分かるように、屋根の通気口１０は、２つの部分、すなわち第１の通気口４０、および第２の通気口１２から成っている。望ましくは、ソーラーパネル４が、第２の通気口１２に取り付けられている。
【００２７】
屋根の通気口１０は、アルミニウム、鉄鋼、又は銅等のどの金属からも形成できる。特に好適な実施例では、屋根の通気口１０は、２６ゲージ（gauge）の亜鉛メッキ鋼で形成される。
【００２８】
図２に示すように、第２の通気口１２は、通気口の骨格１６の下方のキャップ領域２０から区切られた１個またはそれ以上のキャップ１４を含んでおり、望ましくは、骨格１６において、下方の上側の通気口の開口部３６（図６）を覆う。
【００２９】
望ましくは、不連続のキャップ１４は、それぞれのキャップ領域２０を覆っている。このキャップ領域２０は、下方の上側の通気口の開口部３６を有しており、パン部１８を、詳キャップ１４で覆わずに露出させている。
【００３０】
図２Ａの実施例では、あるキャップ１４が、上側の通気口３６で下方のキャップ領域を覆っている。また、別のキャップ１４は、上側の通気口の開口部３６を欠いているキャップ領域を覆っている。上側の通気口の開口部３６を一つ有する別の実施例では、ただ１つのキャップ１４だけが屋根の通気口１０に取り付けられる。
【００３１】
上側の通気口の開口部３６を有する多数のキャップ領域２０の別の実施例では、各キャップ領域２０において、不連続のキャップ１４が、多数の上側の通気口開口部３６を覆うために屋根の通気口１０に取り付けられている。
【００３２】
更にまた図２Ａを参照すると、キャップの突縁２２は、キャップ２３など（図１）のような隣接している野外の瓦のキャップの直下に適合するように構成される。このキャップの突縁２２は、隣接している野外の瓦に正確に適合させるために、図示したクリース（crease）３０等の１つまたはそれ以上のクリースを含む場合がある。
【００３３】
また、このキャップの突縁２２は、隣接している野外の瓦との干渉を最小とするために、１つまたはそれ以上の傾斜３２を有する場合がある。パンの端部２４は、パン２５（図１）等のように、隣接している野外の瓦のパンと噛み合わせるために構成される。
【００３４】
このパンの端部２４は、隣接している野外の瓦に正確に適合するために、１つまたはそれ以上のクリース２８を場合がある。望ましくは、多くのリブ（rib）２６、２６Ａ、および２６Ｂ（図５）は、剛性を高める為に、骨格１６に押し込まれる。望ましくは、リブ２６は、上昇斜面の縁４２に平行である。
【００３５】
第２の通気口１２を傾斜した屋根１１（図１）に固定する為に、望ましくは、釘か螺旋等の従来の固定具を受け入れる為に、穴３４が夫々のパン領域１８に含まれている。
【００３６】
望ましくは、図２Ａに示されている様に、パネル４を、２個又はそれ以上のキャップ１４に固定することによって、ソーラーパネル４が、第２の通気口１２の日光露出部分と統合されるように構成される。
【００３７】
螺旋、ボルト、接着剤、又は当業者に知られている他の固定方法等のような従来の固定具を使用することで、第２の通気口１２にパネル４を固定することができる。
【００３８】
図２Ｂは、下方の第１の通気口４０と周囲の屋根瓦４５との関係について図示する為に取り外された第２の通気口１２を示す分解の透視図である。第２の通気口１２は、下方の第１の通気口４０に関して適切に配向していることが示されている。
【００３９】
この第１の通気口４０は、下側の通気口の開口部４６、及び取り付け直前の周囲の屋根の瓦４５を含んでいる。図１と図２Ｂに示されているように、第２の通気口１２は、傾斜した屋根１１の上で１つまたはそれ以上の野外の瓦２１の代替物となる。
【００４０】
異なったメーカー由来の、異なる瓦の種類であるが同様に見える瓦は、異なった物理的な大きさを有し、隣接する従来の瓦と骨格１６との間における正確な適合の為の独自の骨格構造を必要とすることがある。
【００４１】
その骨格１６は、使用された野外の瓦２１の輪郭と縁との構成に適合するようにされる場合がある。骨格１６は、従来のどの態様でも形成されることができる。骨格１６は、使用を意図している野外の瓦２１に正確に適合する為に、望ましくは、一つの材料の部品が押し込まれる。
【００４２】
望ましくは、骨格１６は、各パン領域１８に隣接する１つまたはそれ以上のパン領域１８と、キャップ領域２０とを含んでいる。
【００４３】
上から見た場合、パン領域１８は凹形の上面を有し、そして、キャップ領域２０は凸状の上面を有する。図１のパン領域１７などのように、パン領域１８は、個々のパンの瓦もしくは野外の瓦２１の対応するパン領域に並んでいる。
【００４４】
図１のキャップ領域１９などのように、キャップ領域２０は、個々のキャップの瓦もしくは野外の瓦２１に対応するキャップ領域に並んでいる。第２の通気口１２は、急勾配の屋根１１の傾斜に平行である傾斜軸で取り付けられる（図１）。
【００４５】
図３Ａは、交互配列に従った好適な実施例の平面図である。ソーラーパネル４は、第１の通気口（図示せず）と第２の通気口１２の両方が、図１に図示されるパターンと異なった屋根の瓦パターンに一致するようにパターン化されている、第２の通気口１２に取り付けられる。
【００４６】
示されているように、望ましくは、ソーラーパネル４は、キャップ１４に取り付けられている。さらに、ソーラーパネル４は、伝導性のワイヤ６によって電気的にファンユニット８（図３Ｂ）に接続される。別の実施例では、ソーラーパネルは、キャップで覆われていない骨格上面の部分、例えば、骨格１６のパン領域１８に取り付けられている。
【００４７】
図３Ｂは、ファンユニット８が取り付けられた第２の通気口１２の底面図を示す。望ましくは、そのファンユニット８は、モーターによって駆動されるファンブレードを備え、そのモーターとファンブレードの両方が、ファンのハウジング内部に含まれており、このハウジングは、ファンユニットアダプター９によってベント１０の下側に取り付けられている。
【００４８】
別の実施例では、当業者が認めることであるが、ソーラーパネルはファン以外の電気装置、つまり、ソーラーパネル発電の電気を供給するのに好適である、モーター、ライト、バッテリー、または他のいかなる電気装置、へ電力を供給するように構成することができる。
【００４９】
図３Ａ〜図３Ｂは、キャップ１４が第２の通気口１２を横切って横方向に延びて、骨格１６のパン領域１８を覆っている実施例を示している。一方、図２Ａ〜図２Ｂに示されている実施例では、不連続のキャップ１４は、下方の上側の通気口の開口部３６を覆うのに使われ、パン領域１８を露出させた状態、すなわち、キャップ１４でカバーされない状態にされる。
【００５０】
キャップ１４が実質的に骨格１６の上面を覆う場合、望ましくは、図３Ａ〜図３Ｂに示されているように、キャップの穴７（または、他の開口部）は、上側の通気口の開口部３６の上に直接的に重ならないキャップの一部に含まれる。
【００５１】
このキャップの穴７は、骨格１６とキャップ１４の間の換気アクセス５４（図４と図５）を経由して、上側の通気口の開口部３６から又は上側の通気口の開口部３６へ、空気が移動する為の出口か入口を与えている。
【００５２】
図４及び図５を参照すると、図１及び図２Ａ〜２Ｂに示される実施例の縦断面図には、複数のリブ２６、２６Ａ、２６Ｂ、５０及びタートル（turtle）３８が示されている。他の配置が適当であるかもしれないが、リブ２６は、凹面を上方向にして示されている。他の配置が適当であるかもしれないが、リブ２６Ｂは、凸面を上方向にして示されている。望ましくは、リブ２６Ａは、肩４８のキャップ１４の干渉を最小にする為に、凹面を上方向に向けている。他の配置が適当であるかもしれないが、リブ５０は、凹面を下として示している。
【００５３】
複数の脚５２が、骨格１６及びキャップ１４に取り付けられて、キャップ１４を支え、且つ、骨格１６とキャップ１４の間の通気アクセス５４を維持している。その脚５２は、従来のどの態様でも取り付けられている。
【００５４】
キャップ１４は、天候から（第２の通気口１２における）上側の通気口の開口部３６を保護し、どのような従来の手段によって骨格１６のキャップ領域２０に取り付けることができる。
【００５５】
キャップ１４は、好ましくは肩４８と脚５２でスポット溶接される。キャップ１４は、側縁２７、前の縁２９、およびリブ５０を含んでいる。望ましくは、リブ５０は、前の縁２９に平行に一方の側縁２７から他方の側縁（可視でない）に広がっている。
【００５６】
側縁２７と前の縁２９が、通気効率を犠牲にせずに、キャップ１４の気象遮へい効率を向上させる為に含まれている。リブ５０は、剛性の為にキャップ１４に押し込まれる。前の縁２９と側縁２７は、切断、湾曲等の従来のどの態様でも作ることができる。好ましくは、前の縁２９、及び側縁２７は、キャップ１４の剛性を増加させるように押し込むことによって形成される。
【００５７】
そして、キャップ１４は、ある標準のサイズで作られている。標準のサイズのキャップ１４は、多くの異なった骨格に取り付けられる場合があり、その結果、製造と品揃えの煩雑さが最小限に抑えられている。
【００５８】
ここで図６を参照すると、第２の通気口１２のキャップ１４と、ファンユニット８と、第１の通気口４０との間での一定の関係が示されている。
【００５９】
通気口１０は、屋根裏６４に通気し、且つ雨と害虫から屋根裏６４を保護するという、２元的な目的に役立つ。上側の通気口の開口部３６、下側の通気口の開口部４６、及び屋根裏の開口部５８は、協同して屋根裏６４から空気６２を導く。キャップ１４は、雨と害虫が直接屋根裏６４に落ちるのを防ぐ為にシールドとして上側の通気口の開口部３６に渡って骨格１６に取り付けられる。
【００６０】
また、キャップ１４は、屋根裏６４の直射日照を防ぐ。望ましくは、上側の通気口の開口部３６は、スクリーンの開口部より大きい害虫が第一の通気口４０と第２の通気口１２の間のスペース６６に進入することを防ぐ為にスクリーン３７で覆われる。調節板５５は、望ましくは、風に運ばれた湿気と塵から上側の通気口の開口部３６を保護して、縁ＲとＬに沿って広がっている。
【００６１】
調節板５５は、高さＨであり、望ましくは、それら調節板５５は、上側の通気口の開口部３６に対して０°と９０°との間の角度Ａに沿って、上側の通気口の開口部３６を囲むか又は隣接している骨格１６の一部から折りたたまれる。
【００６２】
望ましくは、Ｈが、０．１インチ〜１インチ（０．２５４ｃｍ〜２．５４ｃｍ）であり、角度Ａは、２０°〜８０°である。より望ましくは、Ｈは、０．２〜０．６インチ（０．５０８ｃｍ〜０．１５３ｃｍ）であり、角度Ａは、４０〜６０°である。最も望ましくは、Ｈが、０．２５インチ（０．６３５ｃｍ）であり、角度Ａは５０°である。
【００６３】
図３と図４に関して気づくように、キャップ１４は、異物の侵入から上側の通気口の開口部３６を更に保護するために、側縁２７、及び前の縁（図示せず）を含んでいる。望ましくは、側縁２７と前の縁は、キャップ１４から上側の通気口の開口部３６の下に広がっている。
【００６４】
外方向への流れを示す気流は、参照番号６２によって示される。もっとも、例えば流れの方向が変化するとき、その流れは同じ経路をたどることができる、つまり、外６５から屋根裏６４への気流か、屋根裏６４から外６５への気流かにかかわらず、経路は実質的に同じであることが理解される。
【００６５】
ここで簡潔にする為に、屋根裏６４から外６５へ流れる屋根裏の空気６２が説明されるが、本明細書で記載される実施例では、いずれかの方向に同様に良く機能をして空域が導かれる、つまり、別の実施例では、そのファンは屋根裏へと空気を噴出すように構成することができるという理解が前提となる。
【００６６】
望ましくは、通気口１０を通して伝わる空気は、異物が屋根裏６４に入るのを防ぐように方向を変化させる。取り付けられているように、第１の通気口４０の下側の通気口４６は、天井板５６を貫通する通気チャンネルを与えていて、ファンユニット８によって支援される、及び／又は支援されないで空気流の対流を生じさせる。
【００６７】
第１の通気口４０は、屋根裏の開口部５８と下側の通気口の開口部４６を経由して、内部の通気口の空間６６に屋根裏６４から上へと空気を導く。ファンユニット８によって支援された対流か、ファンユニット８により単独で発生した対流が、空気６２を上側の通気口の開口部３６を経て通気アクセス５４に押し流し続けている。
【００６８】
そして、通気アクセス５４における空気６２は、調節板５５上で上へと導かれる。一度調節板５５を超えると、空気６２は、通気口キャップ１４の形状、側縁２７の形状、及び前の縁２９の形状によりその方向を変え、そして、側縁２７か前の縁２９を超えて外６５へと移動する。
【００６９】
太陽光発電で駆動するファン８は、単独で能動的な換気をもたらすことに加え、本発明の受動的の換気機能に関連して、好適な実施例で採用される。屋根裏の内部と屋根裏の外部との相対的な温度が対流によって空気を押し流すのに十分でない場合、または対流が所望の換気の方向とは逆方向に屋根裏でおこっている場合は、ファンユニット８にて換気を起こすことができる。
【００７０】
受動的な換気機能と換気装置の取り付けに関する更なる開示は、О’Ｈａｇｉｎに付与された米国特許番号第６、０５０、０３９号において見つけることができる。その開示は、これら目的の為に、参照によりここにその内容を援用する。
【００７１】
本発明の実施例では、屋根裏又は垂木スペース用の太陽光発電換気装置が設けられているが、この太陽光発電の換気装置は、屋根の瓦の外観を模倣し、屋根の表面から最少量はみ出ることとなる。ビルの外観へ与えるマイナスの影響を最小限にとどめる。
【００７２】
更に、好適な実施例は、有利にも太陽光発電のファンをもたらすが、望ましくは、その太陽光発電のファンは、受動的な換気のみによってなされる換気を超えて更に換気を行う。このファンは、ソーラーパネルによって駆動されるので、稼動費が非常に低く抑えられ、家の配電網にファンを接続する際の労力や配線などが省かれる。
【００７３】
その上、太陽光発電で駆動する通気口は、他の似通った受動的な通気口よりも多くの空気を動かすので、より少ない通気口を取り付ければ足りる。その結果、取り付け費用を削減して、屋根の美的な外観を改善することとなる。
【００７４】
別の好適な実施例では、電気装置かソーラーパネルによって電力供給を受けることができる場合、統合的なソーラーパネルは、電気的にファン以外の電気装置に接続される。
【００７５】
この発明は、ある好適な実施例と事例の関係で明らかにされたが、本発明が、特別に開示された実施例を超えて、他の別の実施例及び／又は本発明の使用と本発明の明白な改変の使用にまで及ぶことが当業者に理解されるだろう。
【００７６】
従って、ここで明らかにされた本発明の範囲は、上記で説明された特定の実施例に限定されるものでなく、しかし、クレームの公正な解釈によってのみ決定されるべきであることを意図する。
【産業上の利用可能性】
【００７７】
この換気装置は、多くの屋根立体配置と多くの種類の屋根葺き材で適応可能であり、他の能動的な換気装置に対して少ない操作と低額な取り付け費用となる。
【図面の簡単な説明】
【００７８】
【図１】本発明の第１の実施例に係る、屋根の一部に取り付けられた第２の通気口とソーラーパネルの斜視図である。
【図２Ａ】図１に示される第２の通気口とソーラーパネルの平面図であり、そのソーラーパネルは、特徴を図示するために、透明な状態で示されている。
【図２Ｂ】図１に示される第２の通気口を分解した斜視図であり、この斜視図は、周囲の屋根の瓦と、内在する第１の通気口に関する第２の通気口との関係について図示している。
【図３Ａ】本発明の第２の実施例に係る、第２の通気口とソーラーパネルの平面図である。
【図３Ｂ】図３Ａに示されていた第２の通気口の底面図であり、第２の通気口の骨格がファンユニットを含む図である。
【図４】線４−４に沿って得られる図２Ａの第２の通気口と、キャップとの横断面図である。
【図５】線５−５に沿って得られる図２Ａの第２の通気口と、キャップとの横断面図である。
【図６】線６−６に沿って得られる図２Ａの第２の通気口と、キャップとの横断面図である。
【符号の説明】
【００７９】
ソーラーパネル      ４
ソーラーレイ        ５
ファンユニット      ８
ファンユニットアダプター  ９
屋根の通気口      １０
第２の通気口      １２
キャップ          １４
通気口の骨格      １６
第１の通気口      ４０
屋根瓦            ４５
通気アクセス      ５４
【図１】
2007534924.tif 000003
【図２Ａ】
2007534924.tif 000004
【図２Ｂ】
2007534924.tif 000005
【図３Ａ】
2007534924.tif 000006
【図３Ｂ】
2007534924.tif 000007
【図４】
2007534924.tif 000008
【図５】
2007534924.tif 000009
【図６】
2007534924.tif 000010
【誤訳訂正書】
【提出日】平成19年3月13日(2007.3.13)
【誤訳訂正１】
【訂正対象書類名】明細書
【訂正対象項目名】０００３
【訂正方法】変更
【訂正の内容】
【０００３】
暖かい気候では、熱は、屋根に入射した太陽エネルギーにより屋根裏において増加する。より寒い気候では、湿気が、屋根裏において増加し、絶縁体からＲ値の多くを奪いとる。熱の影響及び／又は強い湿気を最小にする初期の取り組みは、住居面積と屋根裏の間の断熱材に集中していた。ゲーブル（Gable）通気口と屋根窓タイプの受動的な換気装置は、屋根裏に通気するために取り込まれていった。O'Haginへの米国特許第6,050,039号は、そのような換気装置のカモフラージュされた受動的な1つについて説明している。しかしながら、この受動的な換気装置はどんなカモフラージュされた能動的な換気装置も教示しない。
【国際調査報告】
2007534924.tif 000011
2007534924.tif 000012